(57)【要約】【課題】鉛筆、色鉛筆、ボールペン、シャープペン、クレヨン、チョーク、ならびに消しゴム等の棒状筆記文具体を狭持する繰り出し供給ホルダーに関する。【解決手段】棒状筆記文具体を、締付け固定キャップと、締付けジョイントと、軸筒保持体と、の必要最小限の部品構成から形成される棒状筆記文具体ホルダーで狭持する手段と、前記締付け固定キャップの芯穴が前記締付けジョイントの芯穴に対して小径である手段と、軸筒保持体の長手方向に延設されたスライド溝に中心位置に芯押しロッドを備える略Ｃ字型のスライドリングをスライド可能に設けた手段と、前記締付け固定キャップの先端部に芯穴に連通する筆先鞘管を設けた手段を採る。【選択図】図1
2011173433.tif 000002
【特許請求の範囲】
【請求項１】
締付け固定キャップと、締付けジョイントと、軸筒保持体と、で構成される棒状筆記文具体ホルダーであって、
前記締付け固定キャップは、
外周部が、指先で把持するグリップ部を形成し、
後端部内側は、締付け送り雌ネジ部を設けると共に、先端部に向かって縮形する締付けテーパ部を形成し、
さらに中心部を貫通する芯穴を形成して成り、
前記締付けジョイントは、
前記締付け固定キャップの芯穴と同径の芯穴が貫通する筒状体で形成され、
先端部は、筆先に向かって縮形する締付けテーパ面部の表面から前記芯穴の中心部まで切り込まれる複数のスリットを形成し、
中央部は、前記締付け固定キャップの締付け送り雌ネジ部に螺合する締付け送り雄ネジ部
を設け、
後端部には、段差状に軸径を小とする雄ネジ部を設けて成り、
前記軸筒保持体は、
長手方向に延設する中空部を有する円筒軸体で形成され、
先端部には、前記締付けジョイントの雄ネジ部に螺合する雌ネジ部を設け、
後端部には、前記中空部を塞ぐと共に角形外形部を段差状に設けて成ることを特徴とする棒状筆記文具体ホルダー。
【請求項２】
前記締付け固定キャップの芯穴が、前記締付けジョイントの芯穴に対して小径であることを特徴とする請求項１に記載の棒状筆記文具体ホルダー。
【請求項３】
前記軸筒保持体の長手方向に延設されたスライド溝に、中心位置に芯押しロッドを備える略Ｃ字型のスライドリングをスライド可能に設けたことを特徴とする請求項１に記載の棒状筆記文具体ホルダー。
【請求項４】
前記締付け固定キャップの先端部に、芯穴に連通する筆先鞘管を設けたことを特徴とする請求項１または請求項３に記載の棒状筆記文具体ホルダー。
【発明の詳細な説明】
【技術分野】
【０００１】
本発明は、鉛筆、色鉛筆、ボールペン、シャープペン、クレヨン、チョーク、ならびに消しゴム等の棒状筆記文具体を狭持する繰り出し供給ホルダーに関する。
【背景技術】
【０００２】
従来より、鉛筆や色鉛筆などの筆記用具は、黒鉛や顔料を細長く固めた筆芯を二つ割りにした木製の鉛筆軸で挟んだ製法によって製造されている。
【０００３】
その一般的な鉛筆の製造方法としては、平板の木材に鉛筆芯を入れるための数本の溝が彫られ、表面に接着剤が塗られる。そしてその溝の上に鉛筆芯が置かれ、さらにその上から同じ形の板を逆さまに被せるように圧着するものであって、その製造方法はコンテ時代から現在に至るまで大きく変わることなく引き継がれているものである。該製造過程で使われる木材は、輸入による北米産シダー等の天然木が大量に使用されるもので、それらは産出国の森林破壊を招くと共に地球温暖化ならびに気候変動に大きな影響を及ぼすことが懸念されるものであった。
【０００４】
一方、ペンシル型のボールペン等に使用される透明の合成樹脂製のペンシル軸は、その価格の低廉さから、内蔵されるボールペンリフィールの消耗と共に使い捨てにされるもので、化石燃料資源の大量消費や、焼却処分による地球温暖化等の環境問題を招くものであった。
【０００５】
従来より、上記の問題を解決しようとする少数の部品構成による繰り出し供給ホルダーに関する技術が提案されている。例えば、前後がテーパ状の保持部を軸筒の先端部に嵌め込んで筆記体を保持する技術「筆記体保持物」（特許文献１参照）が公知技術となっている。
【０００６】
しかしながら、該提案は、前後がテーパ状の保持部を軸筒の先端部に嵌め込んで筆記体を挟持する構造から、筆記体の保持力が弱いことや、着脱時の勢いで筆記体の芯折れの可能性があることや、キャップによる筆記体の先端部の保護がなされないなどの問題点があるものだった。
【０００７】
また、クレヨン、チョーク、ならびに消しゴム等に使用される棒状筆記体の補助ホルダーは、使用による指先の汚れを防止したり、消耗して短くなった棒状筆記具を持ちやすくするものであるが、棒状筆記具自体に保持するための形状加工を施したり、使用途中で折れたりすると残り部分が取り出し難かったりして、使用時においては不便さが伴うものであった。
【０００８】
従来より、上記の問題を解決しようとする繰り出し具に関する技術が提案されている。例えば、「芯体繰り出し具」（特許文献２参照）や、「棒状物繰り出し具」（特許文献３参照）が公知技術となっている。
【０００９】
しかしながら、それらの提案は、繰り出し具自体の構造が複雑でコスト高になりがちである上、棒状筆記具自体に狭持するための形状加工を施さなければならないなどの問題点が解決されていないものであった。
【００１０】
本出願人は、以上のような従来の繰り出し具ホルダーの問題点を解決するために、棒状筆記文具体を保持するホルダーの形状と組み立て構造に着目し、締付け固定キャップと、締付けジョイントと、軸筒保持体と、の必要最小限で構成される部品に、筆記文具体の狭持機構を備えた棒状筆記文具体ホルダーを開発し、本発明における「棒状筆記文具体ホルダー」の提案に至るものである。
【先行技術文献】
【特許文献】
【００１１】
【特許文献１】特開２０１１-３７１４５号公報
【特許文献２】特開平７-２８５２９１号公報
【特許文献３】実用新案登録第３１１８１９６号公報
【発明の概要】
【発明が解決しようとする課題】
【００１２】
本発明は、上記問題点に鑑み、鉛筆、色鉛筆、ボールペン、シャープペン、クレヨン、チョーク、ならびに消しゴム等の棒状筆記文具体を狭持する繰り出し供給ホルダーの提供を図る。
【課題を解決するための手段】
【００１３】
本発明は、締付け固定キャップと、締付けジョイントと、軸筒保持体と、で構成される棒状筆記文具体ホルダーであって、前記締付け固定キャップは、外周部が、指先で把持するグリップ部を形成し、後端部内側は、締付け送り雌ネジ部を設けると共に、先端部に向かって縮形する締付けテーパ部を形成し、さらに中心部を貫通する芯穴を形成して成り、前記締付けジョイントは、前記締付け固定キャップの芯穴と同径の芯穴が貫通する筒状体で形成され、先端部は、筆先に向かって縮形する締付けテーパ面部の表面から前記芯穴の中心部まで切り込まれる複数のスリットを形成し、中央部は、前記締付け固定キャップの締付け送り雌ネジ部に螺合する締付け送り雄ネジ部を設け、後端部には、段差状に軸径を小とする雄ネジ部を設けて成り、前記軸筒保持体は、長手方向に延設する中空部を有する円筒軸体で形成され、先端部には、前記締付けジョイントの雄ネジ部に螺合する雌ネジ部を設け、後端部には、前記中空部を塞ぐと共に角形外形部を段差状に設けて成る手段を採る。
【００１４】
また、本発明は、前記締付け固定キャップの芯穴が、前記締付けジョイントの芯穴に対して小径である手段を採る。
【００１５】
また、本発明は、前記軸筒保持体の長手方向に延設されたスライド溝に、中心位置に芯押しロッドを備える略Ｃ字型のスライドリングをスライド可能に設けた手段を採る。
【００１６】
また、本発明は、前記締付け固定キャップの先端部に、芯穴に連通する筆先鞘管を設けた手段を採る。
【発明の効果】
【００１７】
本発明の棒状筆記文具体ホルダーによれば、構成される部品点数が必要最小限であるため製造コストならびに購入価格が低廉である優れた効果を奏する。
【００１８】
また、本発明の棒状筆記文具体ホルダーによれば、棒状筆記文具体をねじ送りならびにテーパ機構で挟持する構造を有しているため挟持力が強く、さらに棒状筆記文具体の先端部が芯穴で嵌合に近い状態で保持されていることから、ガタついたり、ずれたりしない優れた効果を奏する。
【００１９】
また、本発明の棒状筆記文具体ホルダーによれば、軸筒保持体の後端部に角形外形部を段差状に設けることによって、使用時における棒状筆記文具体ホルダーの転がり防止が図れる優れた効果を奏する。
【００２０】
また、本発明の棒状筆記文具体ホルダーによれば、軸筒保持体の長手方向に延設する中空部を備える円筒軸体構造によって落下による衝撃が分散されるため、衝撃に弱い色鉛筆の芯折れ防止が図れる優れた効果を奏する。
【００２１】
また、本発明の棒状筆記文具体ホルダーによれば、軸筒部の内側に中空部が設けられていることによって棒状筆記文具体の替芯を収納することができる優れた効果を奏する。
【００２２】
また、本発明の棒状筆記文具体ホルダーによれば、天然木を使用しない鉛筆芯や、ボールペン替芯リフィール等を利用することによって、天然木の大量消費を抑制し、使用される合成樹脂素材の長期利用ができる優れた効果を奏する。
【００２３】
また、本発明の棒状筆記文具体ホルダーによれば、締付け送り雌ネジ部が締付けジョイントの締付け送り雄ネジ部に螺合して、ネジ送りによって鉛筆芯を締め付けるため、鉛筆芯が確実に且つ強固に締め付け固定される優れた効果を奏する。
【００２４】
また、本発明の棒状筆記文具体ホルダーによれば、軸筒保持体の円筒軸体の外周部にスライドリングを設けることによって、棒状筆記文具体を締付け固定キャップを緩めた状態で容易にスライド調整することができる優れた効果を奏する。
【００２５】
また、本発明の棒状筆記文具体ホルダーによれば、締付け固定キャップの先端部と締付けジョイントの先端部の間の先端隙間が存在することで、使用時に棒状筆記文具体の先端部が折れたりした場合、締付け固定キャップを外して締付けジョイントの先端部から突出している棒状筆記文具体の先端部を指で摘んで引き出したり、次に控える替芯の先端で押し出すことができる優れた効果を奏する。
【図面の簡単な説明】
【００２６】
【図１】本発明の棒状筆記文具体ホルダーの請求項１記載の実施形態を示す全体説明図である。（実施例１）
【図２】本発明の棒状筆記文具体ホルダーの請求項１記載の実施形態を示す断面説明図である。
【図３】本発明の棒状筆記文具体ホルダーの請求項１記載の別の実施形態を示す全体説明図である。（実施例２）
【図４】本発明の棒状筆記文具体ホルダーの請求項１記載の別の実施形態を示す断面説明図である。
【図５】本発明の棒状筆記文具体ホルダーの請求項２記載の実施形態を示す全体説明図である。（実施例３）
【図６】本発明の棒状筆記文具体ホルダーの請求項２記載の実施形態を示す断面説明図である。
【図７】本発明の棒状筆記文具体ホルダーの請求項３記載の実施形態を示す全体説明図である。（実施例４）
【図８】本発明の棒状筆記文具体ホルダーの請求項３記載の実施形態を示す断面説明図である。
【図９】本発明の棒状筆記文具体ホルダーの請求項４記載の実施形態を示す全体説明図である。（実施例５）
【図１０】本発明の棒状筆記文具体ホルダーの請求項４記載の実施形態を示す断面説明図である。
【発明を実施するための形態】
【００２７】
本発明の棒状筆記文具体ホルダーは、締付け固定キャップと、締付けジョイントと、軸筒保持体の必要最小限の部品点数と、の必要最小限で構成される部品に、替芯の狭持機構を備えて鉛筆、色鉛筆、シャープペン、ボールペン、クレヨン、チョーク、ならびに消しゴム等の棒状筆記文具体を狭持して繰り出すことを最大の特徴とするもので、以下、実施例を図面に基づいて説明する。
【００２８】
また、本発明の棒状筆記文具体ホルダーの形状は、下記に述べる実施例に特に限定されるものでなく、本発明の技術的思想に逸脱しない範囲で任意に変更することができる。
【実施例１】
【００２９】
図１は、本発明の棒状筆記文具体ホルダーの請求項１記載の実施形態を示す全体説明図である。図１（a）は拡散分解図を示し、図１（b）は全体斜視図を示す。
本発明の棒状筆記文具体ホルダー１は、締付け固定キャップ１０と、締付けジョイント２０と、軸筒保持体３０の必要最小限の部品点数で構成される。
【００３０】
図２は、本発明の棒状筆記文具体ホルダーの請求項１記載の実施形態を示す断面説明図である。図２（a）は使用時における断面説明図である。
本発明の棒状筆記文具体ホルダー１は、棒状筆記文具体４０が鉛筆芯５０としたもので、締付け固定キャップ１０の芯穴１４が締付けジョイント２０の芯穴２２に対して同径で構成されている。
【００３１】
締付け固定キャップ１０は、外周部を指先で把持し易い握り形状に成型されたグリップ部１１で形成し、後端部内側には、締付けジョイント２０の締付け送り雄ネジ部２５に螺合する締付け送り雌ネジ部１２が設けられると共に、締付けジョイント２０の筆先に向かって縮形する締付けテーパ面部２４に当接する先端部に向かって縮形する締付けテーパ部１３を形成し、さらに中心部を鉛筆芯５０がスライド貫通する芯穴１４を形成して構成されるものである。
【００３２】
グリップ部１１は、締付け固定キャップ１０の外周部に設けられるもので、指先で把持し易い握り形状に成型されているものである。
【００３３】
締付け送り雌ネジ部１２は、締付けジョイント２０の締付け送り雄ネジ部２５に螺合するネジ部で、鉛筆芯５０を締め付け固定する役目と鉛筆芯５０の先端部を保護する送り機構を担うものである。使用時または不使用時に緩みが発生しないようにやや固めのネジピッチ公差で形成されることが好ましい。また、締め付け送り手段がネジ送りであるため、鉛筆芯５０を確実且つ強固に締め付け固定することができる。
【００３４】
締付けテーパ部１３は、先端部に向かって縮形して締付けジョイント２０の締付けテーパ面部２４に当接し、さらに締付け送り雌ネジ部１２のネジ送りによって締付けテーパ面部２４が締め付けられることで鉛筆芯５０を確実且つ強固に狭持することができる。
【００３５】
芯穴１４は、締付け固定キャップ１０の中心をスライド貫通して鉛筆芯５０が挿入されるものである。穴径は鉛筆芯５０がスライドするに必要な緩やかなネジピッチ公差の芯径で形成されるものである。鉛筆芯５０を一定の保持長さを有した芯穴１４で保持することにより、鉛筆芯５０に不確実な力が掛かることなく安定して狭持することができる。
【００３６】
締付けジョイント２０は、締付け固定キャップ１０の芯穴１４と同径の芯穴２２が中心を貫通する筒状体２１で形成され、先端部は、筆先に向かって縮形する締付けテーパ面部２４の表面から芯穴２２の中心部まで切り込まれるに複数のスリット２３を形成し、中央部は、締付け固定キャップ１０の締付け送り雌ネジ部１２に螺合する締付け送り雄ネジ部２５を設け、後端部には、軸筒保持体３０の先端部に設けられる雌ネジ部３２に螺合する段差状に軸径を小とする雄ネジ部２６を設けて構成される。
【００３７】
芯穴２２は、締付けジョイント２０の中心を貫通して鉛筆芯５０を挿入するものである。穴径は締付け固定キャップ１０の芯穴１４と同径である共に、鉛筆芯５０がスライドするに必要な緩やかな許容寸法公差で形成されるものである。
【００３８】
スリット２３は、締付けテーパ面部２４上に設けられるもので、締付け固定キャップ１０の締付けによって締付けテーパ面部２４が変形しやすいように締付けテーパ面部２４の斜面から芯穴２２の中心部まで切り込まれて複数配置されるものである。
【００３９】
締付けテーパ面部２４は、締付け固定キャップ１０の締付けテーパ部１３が当接することで鉛筆芯５０を締め付け固定されるものである。
【００４０】
締付け送り雄ネジ部２５は、締付け固定キャップ１０の締付け送り雌ネジ部に螺合するネジ部である。
【００４１】
雄ネジ部２６は、軸筒保持体３０の先端部が螺合する左ネジ部である。左ネジにすることによって締付け固定キャップ１０を作動させる場合、締付けジョイント２０の雄ネジ部２６と軸筒保持体３０の雌ネジ部３２の螺合が緩まない関係となる。
【００４２】
軸筒保持体３０は、長手方向に延設する中空の円筒軸体３１で形成され、先端部には、締付けジョイント２０の雄ネジ部に螺合する雌ネジ部３２を設け、後端部には、中空部３３を塞ぐと共に、転がり防止を図る角形外形部３４を段差状に設けて構成される。
【００４３】
円筒軸体３１は、長手方向に延設する中空部３３を有するに円筒軸体で、棒状筆記文具体ホルダー１の把持部を形成するものである。また、円筒軸体構造であることによって落下による衝撃が分散されるため、衝撃に弱い色鉛筆の筆芯の芯折れ防止が図れるものである。
【００４４】
雌ネジ部３２は、締付けジョイント２０の雄ネジ部２６に螺合する左ネジ部である。
【００４５】
中空部３３は、円筒軸体３１の肉厚内側に設けられ、棒状筆記文具体４０の替芯用の収納部を形成するものである。
【００４６】
角形外形部３４は、軸筒保持体３０の後端部に設けられ、中空部３３を塞ぐと共に段差状に設けて棒状筆記文具体ホルダー１の転がりを防止し、さらに、円筒軸体３１を外部衝撃に強い円筒形に形成する目的で設けられるものである。
【００４７】
棒状筆記文具体４０は、鉛筆芯５０（色鉛筆も含む）、ボールペンリフィール６０、シャープペン芯８１、クレヨン７０、チョーク７１、ならびに消しゴム７２を対象とする総称である。
【００４８】
先端隙間Ｔは、締付け固定キャップ１０の先端部と締付けジョイント２０の先端部の間の隙間空間で、この隙間空間が存在することで使用時に棒状筆記文具体４０の先端部が折れたりした場合、締付け固定キャップ１０を外して締付けジョイント２０の先端部から突出している棒状筆記文具体４０の先端部を指で摘んで引き出したり、次に控える替芯の先端部で押し出したりすることができるものである。
【００４９】
図２（b）は不使用時における断面説明図である。
本発明の棒状筆記文具体ホルダー１は、締付け固定キャップ１０を緩めることによって鉛筆芯５０の先端部が締付け固定キャップ１０の芯穴１４に隠れて収納されるため、不使用時は鉛筆芯５０の先端部が保護され、汚れや破損を防ぐ形態とすることができる。
【実施例２】
【００５０】
図３は、本発明の棒状筆記文具体ホルダーの請求項１記載の別の実施形態を示す全体説明図である。図３（a）は拡散分解図を示し、図３（b）は全体斜視図を示す。
本発明の棒状筆記文具体ホルダー１は、使用される棒状筆記文具体４０が、クレヨン７０、チョーク７１、ならびに消しゴム７２として前記実施例の芯径を大とし、全長を短縮して形成したものである。
【００５１】
本発明の棒状筆記文具体ホルダー１をクレヨン７０、チョーク７１、ならびに消しゴム７２等の棒状筆記文具体４０として使用することにより、外装紙を不要とし、手の汚れや使用時に折れた場合の替芯の補充作業を容易とするものである。
【００５２】
図４は、本発明の棒状筆記文具体ホルダーの請求項１記載の別の実施形態を示す断面説明図である。図４（a）は使用時における断面説明図である。
棒状筆記文具体ホルダー１は、芯径を太くすることで棒状筆記文具体４０をクレヨン７０、チョーク７１、ならびに消しゴム７２等とすることができるもので、締付け固定キャップ１０の芯穴１４が締付けジョイント２０の芯穴２２に対して同径で構成されている。また、軸筒保持体３０は、長手方向に延設する中空部３３を有する円筒軸体３１で形成されているため替芯用の棒状筆記文具体４０を収納することができる。
【００５３】
図４（b）は不使用時における断面説明図である。
本発明の棒状筆記文具体ホルダー１は、締付け固定キャップ１０を緩めることによってクレヨン７０、チョーク７１、消しゴム７２等の先端部が締付け固定キャップ１０の芯穴１４に隠れて収納されるため、不使用時のクレヨン７０、チョーク７１、ならびに消しゴム７２等の先端部が保護され、汚れや破損を防ぐことができるものである。また、使用時中に棒状筆記文具体４０が折れた場合、締付け固定キャップ１０と締付けジョイント２０との間に先端隙間Ｔがあるために締付け固定キャップ１０を外して締付けジョイント２０の芯穴２２から棒状筆記文具体４０を容易に引き出すことができるものである。
【実施例３】
【００５４】
図５は、本発明の棒状筆記文具体ホルダーの請求項２記載の実施形態を示す全体説明図である。図５（a）は拡散分解図を示し、図５（b）は全体斜視図を示す。
本発明の棒状筆記文具体ホルダー１は、ボールペンリフィール６０のチップ部６１が貫通する締付け固定キャップ１０の芯穴１４が、ボールペンリフィール６０のリフィール部６２が貫通する締付けジョイント２０の芯穴２２に対して小径である構造としたものである。
【００５５】
図６は、本発明の棒状筆記文具体ホルダーの請求項２記載の実施形態を示す断面説明図である。図６（a）は使用時における断面説明図である。
本発明の棒状筆記文具体ホルダー１は、締付け固定キャップ１０の芯穴１４が締付けジョイント２０の芯穴２２に対して小径である構造としたもので、締付け固定キャップ１０の芯穴１４が締付けジョイント２０の芯穴２２に対して小径で構成されている。また、軸筒保持体３０は、長手方向に延設する中空部３３有する円筒軸体３１で形成されているため替芯用のボールペンリフィール６０を収納することができる。
【００５６】
図６（b）は不使用時における断面説明図である。
本発明の棒状筆記文具体ホルダー１は、締付け固定キャップ１０を緩めることによってボールペンリフィール６０のチップ部６１の先端部が締付け固定キャップ１０の芯穴１４に隠れて収納されるため、不使用時のボールペンリフィール６０の先端部が保護され、汚れや破損を防ぐ形態とすることができる。
【実施例４】
【００５７】
図７は、本発明の棒状筆記文具体ホルダーの請求項３記載の実施形態を示す全体説明図である。図７（a）は拡散分解図を示し、図７（b）は全体斜視図を示す。
本発明の棒状筆記文具体ホルダー１は、締付け固定キャップ１０と、締付けジョイント２０と、軸筒保持体３０の必要最小限の部品点数で構成し、さらに軸筒保持体３０の長手方向に延設されたスライド溝３５に、中心位置に芯押しロッド３７を備える略Ｃ字型のスライドリング３６をスライド可能に設けたものである。
【００５８】
スライド溝３５は、軸筒保持体３０の円筒軸体３１の外周部の長手方向に延設されるもので、中空部３３に収納されている棒状筆記文具体４０を芯押しロッド３７で芯押して移動するスライド溝である。
【００５９】
スライドリング３６は、軸筒保持体３０の円筒軸体３１の外周部をホールドするように備えられ、棒状筆記文具体４０の芯位置に合わせて芯押しロッド３７を当接させ、軸筒保持体３０の円筒軸体３１の外周部を摺動して移動するものである。
【００６０】
図８は、本発明の棒状筆記文具体ホルダーの請求項３記載の実施形態を示す断面説明図である。軸筒保持体３０の長手方向に延設されたスライド溝３５に、中心位置に芯押しロッド３７を備える略Ｃ字型のスライドリング３６をスライド可能に設けることによって、消耗した棒状筆記文具体４０を締付け固定キャップ１０を緩めた状態でスライド移動させることができるものである。
【実施例５】
【００６１】
図９は、本発明の棒状筆記文具体ホルダーの請求項４記載の実施形態を示す全体説明図である。図９（a）は拡散分解図を示し、図９（b）は全体斜視図を示す。
本発明の棒状筆記文具体ホルダー１は、軸筒保持体３０の長手方向に延設されたスライド溝３５に、中心位置に芯押しロッド３７を備える略Ｃ字型のスライドリング３６をスライド可能に設けたもので、さらに締付け固定キャップ１０の先にシャープペン芯８１の先端を保護する筆先鞘管１５を設けてシャープペン８０仕様とするものである。
【００６２】
図１０は、本発明の棒状筆記文具体ホルダーの請求項４記載の実施形態を示す断面説明図である。
本発明の棒状筆記文具体ホルダー１は、軸筒保持体３０の長手方向に延設されたスライド溝３５に、中心位置に芯押しロッド３７を備える略Ｃ字型のスライドリング３６をスライド可能に設けることによって、消耗したシャープペン芯８１を締付け固定キャップ１０を緩めた状態でスライド移動させることができるものである。
【産業上の利用可能性】
【００６３】
本発明の棒状筆記文具体ホルダーは、鉛筆、ボールペン、シャープペン、クレヨン、チョーク、ならびに消しゴム等を狭持する棒状筆記文具体ホルダーとして使用するものであるが、化粧用のアイライン用としてや工芸用の彫刻刀替え刃等の多種類の切り刃を収納部に収めておくことができるホルダーとしてや、キャラクタープリントならびにプリクラ写真なども収納することができるなどその収納部の使用用途はユーザーの好みや趣味に合わせて幅広く利用できることから、本発明における棒状筆記文具体ホルダーの産業上の利用可能性は大とするものと解する。
【符号の説明】
【００６４】
１    棒状筆記文具体ホルダー
１０  締付け固定キャップ
１１  グリップ部
１２  締付け送り雌ネジ部
１３  締付けテーパ部
１４  芯穴
１５  筆先鞘管
２０  締付けジョイント
２１  筒状体
２２  芯穴
２３  スリット
２４  締付けテーパ面部
２５  締付け送り雄ネジ部
２６  雄ネジ部−
３０  軸筒保持体
３１  円筒軸体
３２  雌ネジ部
３３  中空部
３４  角形外形部
３５  スライド溝
３６  スライドリング
３７  芯押しロッド
４０  棒状筆記文具体
５０  鉛筆芯
６０  ボールペンリフィール
６１  チップ部
６２  リフィール部
７０  クレヨン
７１  チョーク、
７２  消しゴム
８０  シャープペン
８１  シャープペン芯
Ｔ    先端隙間
【図１】
2011173433.tif 000003
【図２】
2011173433.tif 000004
【図３】
2011173433.tif 000005
【図４】
2011173433.tif 000006
【図５】
2011173433.tif 000007
【図６】
2011173433.tif 000008
【図７】
2011173433.tif 000009
【図８】
2011173433.tif 000010
【図９】
2011173433.tif 000011
【図１０】
2011173433.tif 000012